(57)【要約】【課題】太陽電池モジュールの出力特性の測定誤差を低減できる搬送装置及びシミュレータ装置を得ること。【解決手段】搬送装置は、太陽電池モジュールを搬送する搬送装置であって、前記太陽電池モジュールの受光面がソーラーシミュレータの本体と対向する位置へ前記太陽電池モジュールを搬送する搬送ベルトと、前記ソーラーシミュレータの本体に対して前記太陽電池モジュールの側に配され、前記搬送ベルトを搬送方向へ案内する往路ガイド部材と、前記ソーラーシミュレータの本体に対して前記太陽電池モジュールと反対側に配され、前記往路ガイド部材により案内された前記搬送ベルトを前記搬送方向と反対方向へ案内する復路ガイド部材とを備えている。【選択図】図６
2013055118.tif 000002
【特許請求の範囲】
【請求項１】
太陽電池モジュールを搬送する搬送装置であって、
前記太陽電池モジュールの受光面がソーラーシミュレータの本体と対向する位置へ前記太陽電池モジュールを搬送する搬送ベルトと、
前記ソーラーシミュレータの本体に対して前記太陽電池モジュールの側に配され、前記搬送ベルトを搬送方向へ案内する往路ガイド部材と、
前記ソーラーシミュレータの本体に対して前記太陽電池モジュールと反対側に配され、前記往路ガイド部材により案内された前記搬送ベルトを前記搬送方向と反対方向へ案内する復路ガイド部材と、
を備えたことを特徴とする搬送装置。
【請求項２】
太陽電池モジュールのシミュレータ装置であって、
前記太陽電池モジュールの受光面へ擬似太陽光を照射させるソーラーシミュレータと、
前記太陽電池モジュールの受光面がソーラーシミュレータの本体と対向する位置へ前記太陽電池モジュールを搬送する搬送ベルトと、
前記ソーラーシミュレータの本体に対して前記太陽電池モジュールの側に配され、前記搬送ベルトを搬送方向へ案内する往路ガイド部材と、
前記ソーラーシミュレータの本体に対して前記太陽電池モジュールと反対側に配され、前記往路ガイド部材により案内された前記搬送ベルトを前記搬送方向と反対方向へ案内する復路ガイド部材と、
を備え、
前記ソーラーシミュレータは、前記太陽電池モジュールの受光面へ擬似太陽光を照射させた状態で、前記太陽電池モジュールの出力特性を測定する
ことを特徴とするシミュレータ装置。
【発明の詳細な説明】
【技術分野】
【０００１】
本発明は、搬送装置及びシミュレータ装置に関する。
【背景技術】
【０００２】
太陽電池モジュールの出力特性を測定するソーラーシミュレータ上へ太陽電池モジュールを搬送する搬送装置は、太陽電池モジュールの２長辺側の２つの端部を２つの搬送ベルトで支持してソーラーシミュレータ上の指定位置で停止させる。この搬送装置は、搬送ベルトを太陽電池モジュールの搬送方向へ送る往路部と搬送ベルトを戻入する復路部との二段構造を有する。
【発明の概要】
【発明が解決しようとする課題】
【０００３】
ソーラーシミュレータは、太陽電池モジュールの受光面に疑似太陽光を照射して、太陽電池モジュールの出力特性（例えば、発電特性）を測定する。照射すべき疑似太陽光は、太陽電池モジュールに対して遮光されることなく当てる必要がある。搬送装置は、搬送ベルトを巡回させる構造で、太陽電池モジュールを載せてソーラーシミュレータ上に搬送するように搬送ベルトを送る往路部と、搬送ベルトを戻す復路部とを有する。この往復の構造（往路部、復路部）が、ソーラーシミュレータの上方に設置されて、太陽電池モジュールの搬送を行う。すなわち、搬送装置では、往路部とソーラーシミュレータとの間に復路部が設置されるので、ソーラーシミュレータから照射された疑似太陽光が復路部により一部遮光されることがある。この遮光が、太陽電池モジュールの出力特性の測定において、測定誤差を生じさせる可能性がある。
【０００４】
本発明は、上記に鑑みてなされたものであって、太陽電池モジュールの出力特性の測定誤差を低減できる搬送装置及びシミュレータ装置を得ることを目的とする。
【課題を解決するための手段】
【０００５】
上述した課題を解決し、目的を達成するために、本発明の１つの側面にかかる搬送装置は、太陽電池モジュールを搬送する搬送装置であって、前記太陽電池モジュールの受光面がソーラーシミュレータの本体と対向する位置へ前記太陽電池モジュールを搬送する搬送ベルトと、前記ソーラーシミュレータの本体に対して前記太陽電池モジュールの側に配され、前記搬送ベルトを搬送方向へ案内する往路ガイド部材と、前記ソーラーシミュレータの本体に対して前記太陽電池モジュールと反対側に配され、前記往路ガイド部材により案内された前記搬送ベルトを前記搬送方向と反対方向へ案内する復路ガイド部材とを備えたことを特徴とする。
【発明の効果】
【０００６】
本発明によれば、ソーラーシミュレータから照射された疑似太陽光を復路ガイドが遮光しないので、太陽電池モジュールへの斜め入射光の光路が遮られにくい。この結果、斜め入射光を太陽電池モジュールで受光されるようにすることができるので、太陽電池モジュールの出力特性の測定誤差を低減できる。
【図面の簡単な説明】
【０００７】
【図１】図１は、実施の形態における太陽電池モジュールの構成を示す図である。
【図２】図２は、実施の形態における太陽電池モジュールの構成を示す図である。
【図３】図３は、実施の形態におけるソーラーシミュレータの構成を示す図である。
【図４】図４は、実施の形態におけるソーラーシミュレータの構成を示す図である。
【図５】図５は、実施の形態にかかる搬送装置の構成を示す図である。
【図６】図６は、実施の形態にかかる搬送装置の構成を示す図である。
【図７】図７は、実施の形態にかかる搬送装置の構成を示す図である。
【図８】図８は、比較例にかかる搬送装置の構成を示す図である。
【図９】図９は、比較例にかかる搬送装置の構成を示す図である。
【図１０】図１０は、比較例にかかる搬送装置の構成を示す図である。
【発明を実施するための形態】
【０００８】
以下に、本発明にかかる搬送装置の実施の形態を図面に基づいて詳細に説明する。なお、本発明は以下の記述に限定されるものではなく本発明に要旨を逸脱しない範囲において適時変更可能である。また、以下に示す図面においては、理解の容易のため、各部材の尺度が実際とは異なる場合がある。
【０００９】
実施の形態．
実施の形態にかかる搬送装置２００について説明する。
【００１０】
搬送装置２００は、ソーラーシミュレータ１００により測定されるべき太陽電池モジュールＭをソーラーシミュレータ１００の上方へ搬送する（図５〜図７参照）。ソーラーシミュレータ１００は、太陽電池モジュールＭの受光面に疑似太陽光を照射して、太陽電池モジュールＭの出力特性（例えば、発電特性）を測定する（図３参照）。ソーラーシミュレータ１００は、例えば、太陽電池モジュールＭのＩ−Ｖ特性を測定するＩＶシミュレータである。なお、搬送装置２００及びソーラーシミュレータ１００を含む構成をシミュレータ装置３００と呼ぶことにする（図５参照）。
【００１１】
まず、ソーラーシミュレータ１００により測定されるべき太陽電池モジュールＭの構成について、図１及び図２を用いて説明する。図１は、太陽電池モジュールＭを受光面側から見た平面図である。図２は、太陽電池モジュールＭを裏面側から見た背面図である。
【００１２】
太陽電池モジュールＭでは、複数の太陽電池素子１−１〜１−ｋが２次元的に配列されているとともに例えば電気的に直列に接続されている。太陽電池素子１−１の裏面電極と、太陽電池素子１−１に隣接する太陽電池素子１−２の表面電極（受光面側の電極）とは、それぞれ、導線２に半田付けされている。このようにして、太陽電池素子１を１０枚１列に一端側へ配列して並べて、列の一端の太陽電池素子１と次の列の一端の太陽電池素子１とをそれぞれ接続導線３に半田付けして接続していき、複数の太陽電池素子１−１〜１−ｋのストリングを形成し、そのストリングをガラスパネル４に配置する。ガラスパネル４に配置された各太陽電池素子１は、背面から封止樹脂フィルム５で密閉する。このとき、ストリングの両端の出力用導線を封止樹脂フィルム５から出しておき、それぞれ、＋側出力端子ボックス６及び−側出力端子ボックス７と半田付け接続を行う。その後に、２つの長辺フレーム８と２つの短辺フレーム９とを取付けて固定する。太陽電池モジュールＭの出力電力は、出力ケーブル１０−１、１０−２及びその出力端子１１−１、１１−２を介して取り出し得る。
【００１３】
次に、ソーラーシミュレータ１００の構成について図３及び図４を用いて説明する。図３は、ソーラーシミュレータ１００を側面側から見た側面図である。図４は、ソーラーシミュレータ１００を上方から見た平面図である。
【００１４】
ソーラーシミュレータ１００は、シミュレータ本体１１１と測定器１１２とを有する。シミュレータ本体１１１は、その照射面１１６から疑似太陽光を測定対象に向けて、すなわち太陽電池モジュールＭの受光面に向けて照射する。測定器１１２は、太陽電池モジュールＭの受光面に疑似太陽光が照射された状態で、太陽電池モジュールＭの出力ケーブル１０−１、１０−２及びその出力端子１１−１、１１−２を介して、太陽電池モジュールＭの出力特性を測定する。
【００１５】
具体的には、シミュレータ本体１１１は、その内部に、ランプ１１３、複数の反射板１１４、及びフィルタ１１５が配されている。ランプ１１３は、複数の反射板１１４に対して照射面１１６の反対側に配され、例えば円筒状の形状を有している。複数の反射板１１４は、平面視において、例えばランプ１１３のほぼ全部を覆うように２次元的に配列されている。フィルタ１１５は、照射面１１６と複数の反射板１１４との間に配され、平面視において、ランプ１１３及び複数の反射板１１４を覆うように配されている。
【００１６】
ランプ１１３は、疑似太陽光を発生させて反射板１１４へ照射する。反射板１１４は、照射された疑似太陽光を拡散させてフィルタ１１５へ導く。フィルタ１１５は、導かれた疑似太陽光の波長成分が太陽光の波長成分に近くなるように調整するとともに、調整後の疑似太陽光を照射面１１６へ導く。
【００１７】
次に、搬送装置２００の構成について図５〜図７を用いて説明する。図５は、シミュレータ本体１１１の上方に太陽電池モジュールＭが搬送されるように設置された状態の搬送装置２００を上方から見た平面図である。図６は、搬送装置２００を図５の２点鎖線で示す方向できった場合の断面を矢印方向から見た断面図である。図７は、搬送装置２００を図５の１点鎖線で示す方向できった場合の断面を矢印方向から見た断面図である。なお、図６では、シミュレータ本体１１１の内部構成の図示が省略されている。
【００１８】
搬送装置２００は、モーター２１７、モータープーリー２１８、駆動ベルト２１９、駆動プーリー２２０、ボールスプライン２２１、搬送ベルト２２３、搬送プーリー２２２−１、２２２−２、テンションプーリー２２５、復路プーリー２２６−１、２２６−２、搬送ベルト往路ガイド２４０、及び搬送ベルト復路ガイド２５０を備える。
【００１９】
モーター２１７の回転運動の動力は、モータープーリー２１８及び駆動ベルト２１９を介して駆動プーリー２２０に伝達される。駆動プーリー２２０は、伝達された動力を、ボールスプライン２２１を介して搬送プーリー２２２−１に伝達する。搬送プーリー２２２−１は、伝達された動力を用いて、搬送ベルト２２３を移動させて太陽電池モジュールＭを搬送する。このとき、太陽電池モジュールＭは、シミュレータ本体１１１の側（例えば下側）が受光面となるように、太陽電池モジュールＭの２長辺側の２つの端部を２つの搬送ベルト２２３で支持されている。
【００２０】
搬送ベルト２２３は、リング状のベルトである。搬送ベルト２２３は、例えば、搬送プーリー２２２−１、搬送プーリー２２２−２、テンションプーリー２２５、復路プーリー２２６−２、復路プーリー２２６−１、からなる経路をとおり一巡する。このとき、搬送ベルト２２３は、搬送ベルト往路ガイド２４０及び搬送ベルト復路ガイド２５０によって規制された経路を通過する。
【００２１】
すなわち、搬送ベルト往路ガイド２４０は、搬送プーリー２２２−１及び搬送プーリー２２２−２の間において、搬送ベルト２２３を搬送方向へ案内する。具体的には、搬送ベルト往路ガイド２４０は、上部ガイド２４１、下部ガイド２４２、及び側部ガイド（搬送装置フレーム）２４３を有する。すなわち、側部ガイド２４３により搬送時における搬送ベルト２２３の水平位置を規制しながら、上部ガイド２４１及び下部ガイド２４２の間に搬送ベルト２２３を通すことで搬送時における搬送ベルト２２３の鉛直位置を規制する。
【００２２】
また、搬送ベルト復路ガイド２５０は、搬送ベルト往路ガイド２４０により案内された搬送ベルト２２３を、復路プーリー２２６−２及び復路プーリー２２６−１の間において、搬送方向と反対方向へ戻入するように案内する。具体的には、搬送ベルト復路ガイド２５０は、上部ガイド２５１、下部ガイド２５２、及び側部ガイド２５３を有する。すなわち、側部ガイド２５３により戻入時における搬送ベルト２２３の水平位置を規制しながら、上部ガイド２５１及び下部ガイド２５２の間に搬送ベルト２２３を通すことで戻入時における搬送ベルト２２３の鉛直位置を規制する。なお、図６では、図面を分かりやすくする便宜上、側部ガイド２５３の図示が省略されている。
【００２３】
ここで、仮に、図８及び図９に示すように、搬送ベルト往路ガイド９４０及び搬送ベルト復路ガイド９５０をいずれもシミュレータ本体１１１に対して照射面１１６側、すなわち太陽電池モジュールＭの側に設けた場合について考える。この場合、搬送ベルト復路ガイド９５０は、搬送ベルト往路ガイド９４０とシミュレータ本体１１１との間に位置することになる。すなわち、搬送ベルト往路ガイド９４０の上部ガイド９４１、下部ガイド９４２、及び側部ガイド（搬送装置フレーム）９４３は、搬送ベルト９２３を搬送方向へ案内する。搬送ベルト復路ガイド９５０の上部ガイド９５１、下部ガイド９５２、及び側部ガイド（搬送装置フレーム）９５３は、搬送ベルト往路ガイド９４０により案内された搬送ベルト９２３を、搬送ベルト往路ガイド９４０とシミュレータ本体１１１との間において、搬送方向と反対方向へ戻入するように案内する。
【００２４】
この構成では、図１０に示すように、シミュレータ本体１１１から照射された疑似太陽光が搬送ベルト復路ガイド９５０によって遮光されることがある。具体的には、ランプ１１３から発光され反射板１１４で拡散されフィルタ１１５を介しシミュレータ本体１１１のケーシング内側面で反射された疑似太陽光は、太陽電池モジュールＭに対して斜め方向からも入射する。この斜め入射光に対して、搬送ベルト復路ガイド９５０の下部ガイド９５２が光路を遮る傾向にある。この遮光が、太陽電池モジュールＭの出力特性の測定において、測定誤差を生じさせる可能性がある。
【００２５】
それに対して、実施の形態では、搬送装置２００の復路プーリー２２６−２、２２６−１が、比較例における復路プーリー９２６−２、９２６−１（図９参照）に比べて、シミュレータ本体１１１の低いところに位置している。そして、搬送ベルト復路ガイド２５０は、シミュレータ本体１１１の底部に取り付けられており、搬送ベルト２２３の復路経路がシミュレータ本体１１１の底部を通る構造になっている。すなわち、搬送ベルト往路ガイド２４０がシミュレータ本体１１１に対して太陽電池モジュールＭの側に配されているとともに、搬送ベルト復路ガイド２５０がシミュレータ本体１１１に対して太陽電池モジュールＭの反対側に配されている。これにより、ソーラーシミュレータ１００から照射された疑似太陽光を遮光する構造部分を無くすことができる。すなわち、ソーラーシミュレータ１００から照射された疑似太陽光を搬送ベルト復路ガイド２５０が遮光しないので、太陽電池モジュールＭへの斜め入射光の光路が遮られにくい。この結果、斜め入射光を太陽電池モジュールＭで受光されるようにすることができるので、太陽電池モジュールＭの出力特性の測定誤差を低減できる。
【産業上の利用可能性】
【００２６】
以上のように、本発明にかかる搬送装置は、太陽電池モジュールの搬送に有用である。
【符号の説明】
【００２７】
１  太陽電池素子
２  導線
３  接続導線
４  ガラスパネル
５  封止樹脂フィルム
６  ＋側出力端子ボックス
７  −側出力端子ボックス
８  長辺フレーム
９  短辺フレーム
１０  出力ケーブル
１１  出力端子
１００  ソーラーシミュレータ
１１１  シミュレータ本体
１１２  測定器
１１３  ランプ
１１４  反射板
１１５  フィルタ
１１６  照射面
２００  搬送装置
２１７  モーター
２１８  モータープーリー
２１９  駆動ベルト
２２０  駆動プーリー
２２１  ボールスプライン
２２２−１、２２２−２  搬送プーリー
２２３  搬送ベルト
２２５  テンションプーリー
２２６−１、２２６−２  復路プーリー
２４０  搬送ベルト往路ガイド
２４１  上部ガイド
２４２  下部ガイド
２４３  側部ガイド
２５０  搬送ベルト復路ガイド
２５１  上部ガイド
２５２  下部ガイド
２５３  側部ガイド
３００  シミュレータ装置
９２３  搬送ベルト
９２６  復路プーリー
９４０  搬送ベルト往路ガイド
９４１  上部ガイド
９４２  下部ガイド
９４３  側部ガイド
９５０  搬送ベルト復路ガイド
９５１  上部ガイド
９５２  下部ガイド
９５３  側部ガイド
Ｍ  太陽電池モジュール
【図１】
2013055118.tif 000003
【図２】
2013055118.tif 000004
【図３】
2013055118.tif 000005
【図４】
2013055118.tif 000006
【図５】
2013055118.tif 000007
【図６】
2013055118.tif 000008
【図７】
2013055118.tif 000009
【図８】
2013055118.tif 000010
【図９】
2013055118.tif 000011
【図１０】
2013055118.tif 000012